(57)【特許請求の範囲】
【請求項１】
枠状体が形成する第１開口を開閉するよう該枠状体に開閉移動可能に設けられた障子と、
前記障子に設けられた第２開口を開閉するよう該障子に開閉移動可能に設けられた開閉体と
を備えた建具であって、
前記障子が前記第１開口を閉塞し、かつ前記開閉体が前記第２開口を開放した状態において、前記第１開口が閉塞された状態を保持するストッパを備え、
前記ストッパは、前記障子に形成されたストッパ開口を通じて該障子の外部に進退移動可能に設けられ、かつ前記開閉体が前記第２開口を閉塞する場合には付勢手段に付勢されて外部より退行移動した姿勢となる一方、前記開閉体が前記第２開口を開放する場合には前記付勢手段の付勢力に抗して外部に進出移動した姿勢となることを特徴とする建具。
【請求項２】
前記ストッパは、前記障子の見込み方向に沿って前記障子の外部に進退移動するよう回動可能に設けられ、かつ前記開閉体が前記第２開口を閉塞する場合には前記付勢手段に付勢されて外部より退行移動した姿勢となって前記ストッパ開口を略閉塞する一方、前記第２開口を閉塞する前記開閉体が開移動して該開閉体に当接される場合には前記付勢手段の付勢力に抗して外部に進出移動するよう回動した姿勢となることを特徴とする請求項１に記載の建具。
【請求項３】
前記障子は、前記枠状体を構成する上枠の長手方向に沿って開閉移動を行うものであり、
前記開閉体は、上下方向に沿って開閉移動を行うものであることを特徴とする請求項１又は請求項２に記載の建具。
【発明の詳細な説明】
【技術分野】
【０００１】
本発明は、建具に関するものである。
【背景技術】
【０００２】
従来、例えば引き違い窓や片引き窓等の建具において、障子を開移動させる場合に、該障子の縦框と、他の障子の縦框あるいは方立等（以下、相手側縦框等ともいう）とが引き違うこととなる。そこで、縦框と相手側縦框等とが引き違う際に指挟みを防止するために開移動させる障子にストッパ機構が設けられた建具が提案されている。
【０００３】
かかる障子に設けられたストッパ機構は、ストッパ部とスイッチ部とを有しており、これらストッパ部及びスイッチ部は、障子の框の内部に進入した進入姿勢と、該框より外部に突出した突出姿勢との間で変位可能である。このようなストッパ機構では、スイッチ部が進入姿勢となる場合にはストッパ部が突出姿勢となる一方、ストッパ部が進入姿勢となる場合にはスイッチ部が突出姿勢となるよう、両者の間にアームが介在して連係されている。また、ストッパ機構においては、ストッパ部とスイッチ部との離間距離は、相手側縦框等の見付け寸法よりも大きくなるように調整されている。
【０００４】
上記ストッパ機構を有する建具では、障子を開移動させる場合に、突出姿勢となるストッパ部が相手側縦框等に当接して該障子の開移動が一旦規制される。そして、ストッパ部を押圧操作して進入姿勢にすることでスイッチ部を突出姿勢にし、ストッパ部と相手側縦框等との当接状態を解除させて障子を再び開移動させている。つまり、上記建具では、障子を開移動させる場合に、突出姿勢となるストッパ部若しくはスイッチ部を相手側縦框等に当接させて該障子の開移動を一旦規制し、相手側縦框等に当接するストッパ部若しくはスイッチ部を手動にて押圧操作して進入姿勢にすることで相手側縦框等との当接状態を解除させるようにして障子を再び開移動させている。
【０００５】
このようにして障子の開移動を一旦規制することで、該障子の縦框と相手側縦框等との間で指挟みの発生を抑制するようにしている（例えば、特許文献１参照）。
【先行技術文献】
【特許文献】
【０００６】
【特許文献１】特許第５１２９５０３号公報
【発明の概要】
【発明が解決しようとする課題】
【０００７】
ところで、建具においては、開閉移動する障子に開閉体が設けられたものが知られている。開閉体は、障子に形成された障子開口を開閉するものであり、例えば障子が開閉対象となる開口（以下、対象開口ともいう）を閉塞している場合に、開閉体が障子開口を開放させることでかかる障子開口を通じて通風を許容することができる。
【０００８】
しかしながら、このような開閉体が設けられた障子を有する建具においては次のような問題があった。すなわち、障子が対象開口を閉塞して開閉体が障子開口を開放している状態で他の障子が開移動された場合、仮に障子開口に体の一部を通過させていると、障子開口の縁部と他の障子との間に体の一部が挟まれてしまう虞れがあった。
【０００９】
そこで、上述した特許文献１に提案されているようなストッパ機構を適用することが考えられる。しかし、上記ストッパ機構は、ストッパ部若しくはスイッチ部が相手側縦框等に当接して障子の開移動を一旦規制するものであるため、このストッパ機構を適用してもある程度の距離だけ障子が開移動することとなり、結果として、障子開口の縁部と他の障子との間に体の一部が挟まれてしまう虞れがあった。
【００１０】
本発明は、上記実情に鑑みて、安全性の向上を図ることができる建具を提供することを目的とする。
【課題を解決するための手段】
【００１１】
上記目的を達成するために、本発明に係る建具は、枠状体が形成する第１開口を開閉するよう該枠状体に開閉移動可能に設けられた障子と、前記障子に設けられた第２開口を開閉するよう該障子に開閉移動可能に設けられた開閉体とを備えた建具であって、前記障子が前記第１開口を閉塞し、かつ前記開閉体が前記第２開口を開放した状態において、前記第１開口が閉塞された状態を保持するストッパを備えたことを特徴とする。
【００１２】
この発明によれば、ストッパが、障子が第１開口を閉塞し、かつ開閉体が第２開口を開放する状態において、第１開口が閉塞された状態を保持するので、第２開口に体の一部を通過させていても該体の一部が挟まれてしまうことを防止できる。
【００１３】
また本発明は、上記建具において、前記ストッパは、前記障子に形成されたストッパ開口を通じて該障子の外部に進退移動可能に設けられ、かつ前記開閉体が前記第２開口を閉塞する場合には付勢手段に付勢されて外部より退行移動した姿勢となる一方、前記開閉体が前記第２開口を開放する場合には前記付勢手段の付勢力に抗して外部に進出移動した姿勢となることを特徴とする。
【００１４】
この発明によれば、ストッパが、開閉体が前記第２開口を閉塞する場合には付勢手段に付勢されて外部より退行移動した姿勢となる一方、開閉体が第２開口を開放する場合には付勢手段の付勢力に抗して外部に進出移動した姿勢となるので、枠状体の構成要素若しくは他の障子と当接可能な状態となって第１開口が閉塞された状態を保持することができる。
【００１５】
また本発明は、上記建具において、前記ストッパは、前記障子の見込み方向に沿って前記障子の外部に進退移動するよう回動可能に設けられ、かつ前記開閉体が前記第２開口を閉塞する場合には前記付勢手段に付勢されて外部より退行移動した姿勢となって前記ストッパ開口を略閉塞する一方、前記第２開口を閉塞する前記開閉体が開移動して該開閉体に当接される場合には前記付勢手段の付勢力に抗して外部に進出移動するよう回動した姿勢となることを特徴とする。
【００１６】
この発明によれば、ストッパが障子の見込み方向に沿って障子の外部に進退移動するよう回動可能に設けられているので、ストッパの設置スペースの大型化を招来する虞れがない。また、ストッパが、開閉体が前記第２開口を閉塞する場合には付勢手段に付勢されて外部より退行移動した姿勢となってストッパ開口を略閉塞するので、ストッパ開口を通じて内部が露出される虞れがなく、意匠性を向上させることができる。更に、ストッパが、第２開口を閉塞する開閉体が開移動して該開閉体に当接される場合には付勢手段の付勢力に抗して外部に進出移動するよう回動した姿勢となるので、枠状体の構成要素若しくは他の障子と当接可能な状態となって第１開口が閉塞された状態を保持することができる。
【００１７】
また本発明は、上記建具において、前記障子は、前記枠状体を構成する上枠の長手方向に沿って開閉移動を行うものであり、前記開閉体は、上下方向に沿って開閉移動を行うものであることを特徴とする。
【００１８】
この発明によれば、第２開口に体の一部を通過させていても該体の一部が挟まれてしまうことを防止できる。
【発明の効果】
【００１９】
本発明によれば、第２開口に体の一部を通過させていても該体の一部が挟まれてしまうことを防止できるので、安全性の向上を図ることができるという効果を奏する。
【図面の簡単な説明】
【００２０】
【図１】図１は、本発明の実施の形態である建具の外観図である。
【図２】図２は、本発明の実施の形態である建具の縦断面図である。
【図３】図３は、図１及び図２に示した通風ユニットを示す縦断面図である。
【図４】図４は、図１及び図２に示した通風ユニットを示す横断面図である。
【図５】図５は、通風ユニットの要部を示す斜視図である。
【図６】図６は、通風ユニットの要部を示す分解斜視図である。
【図７】図７は、縦框に形成されたストッパ開口を示す説明図である。
【図８】図８は、ストッパの動作を模式的に示す説明図である。
【図９】図９は、通風ユニットの縦断面図である。
【図１０】図１０は、ストッパの動作を模式的に示す説明図である。
【図１１】図１１は、ストッパの動作を模式的に示す説明図である。
【図１２】図１２は、ストッパの動作を模式的に示す説明図である。
【図１３】図１３は、図１に示した建具を上方から見た場合を示す模式図である。
【発明を実施するための形態】
【００２１】
以下に添付図面を参照して、本発明に係る建具の好適な実施の形態について詳細に説明する。
【００２２】
図１は、本発明の実施の形態である建具の外観図である。ここで例示する建具は、例えばリビングルームやホール等の空間を仕切るために用いられる吊下障子２０である。尚、以下においては、図１における右側を右方、左側を左方、紙面手前側を後方、紙面奥側を前方として説明する。
【００２３】
吊下障子２０は、複数（図示の例では２つ）あり、天井に設けた上レール１１と、床２との間に設けられている。これら吊下障子２０は、上レール１１と、床２と、上レール１１の左右両端部から床２に向けて延在するように設けられた袖壁１３，１４とを有する枠状体１０により形成される開口（以下、第１開口ともいう）１５を開閉するものである。
【００２４】
また、吊下障子２０は、前方側の吊下障子（以下、前方側障子ともいう）２０ａと、後方側の吊下障子（以下、後方側障子ともいう）２０ｂとを有し、これら障子同士が互いに引き違うよう、左右方向に沿って開閉移動可能に設けられている。そして、図１に示すように、前方側障子２０ａが左方側に位置し、後方側障子２０ｂが右方側に位置することで、互いの一部が召し合わされた状態で上記第１開口１５を閉塞することができる。
【００２５】
このような吊下障子２０を構成する前方側障子２０ａ及び後方側障子２０ｂは、一部の構成要素の取り付けが左右で異なる以外は略同じ構成を有しているので、以下においては、前方側障子２０ａについて説明し、後方側障子２０ｂの説明は割愛する。
【００２６】
前方側障子２０ａは、上框２１、下框２２及び左右一対の縦框２３を四周框組みして構成された框体に、複数の中桟２４が縦框２３間に架け渡されることで該框体の内側の領域が複数に区画されている。そして、区画された領域を閉塞するように複数の樹脂パネル２５と１つの通風ユニット１とが配設されて構成してある。
【００２７】
このような前方側障子２０ａにおいては、図２に示すように、上框２１の左右両端近傍において吊車ユニット２６が設けられている。吊車ユニット２６は、上框２１より上方に突出する軸体２６１と、この軸体２６１の上端部において回動可能に配置された一対のローラ２６２とが備えられたものである。
【００２８】
そして、前方側障子２０ａは、吊車ユニット２６の軸体２６１の上端部が上レール１１に収納され、かつ一対のローラ２６２が上レール１１のレール面１１１に載置されることで吊り下げられた状態となっている。また前方側障子２０ａの下框２２には、左右方向に沿って延在する収容溝２２１が形成されており、床２に設けられた規制部品１２を構成する突起部１２１が収容されている。
【００２９】
かかる構成を有する前方側障子２０ａは、一対のローラ２６２がレール面１１１を転動することで左右方向に沿って開閉移動することが可能であり、また収容溝２２１に突起部１２１が収容されることで前後方向に沿っての振れが規制されている。
【００３０】
図３及び図４は、それぞれ図１及び図２に示した通風ユニット１を示すものであり、図３は縦断面図であり、図４は横断面図である。通風ユニット１は、枠体３０と、固定パネル４０と、可動パネル（開閉体）５０とを備えて構成されている。
【００３１】
枠体３０は、上枠３１、下枠３２及び左右一対の縦枠３３を四周枠組みすることによって構成されたものであり、矩形開口（以下、第２開口ともいう）３５を形成するものである。上枠３１は、前方上側係止部３１ａと後方上側係止部３１ｂとを有している。
【００３２】
前方上側係止部３１ａは、上枠３１の長手方向、すなわち左右方向に沿って延在するものであり、上枠３１の前端部において上方に向けて延在し、かつその途中で後方に向けて延在する部位である。
【００３３】
後方上側係止部３１ｂは、前方上側係止部３１ａと同様に、上枠３１の長手方向に沿って延在するものであり、上枠３１の後端部において上方に向かうに連れて漸次後方に傾斜するよう延在する部位である。
【００３４】
下枠３２は、下側溝部３２ａと、前方下側係止部３２ｂと、後方下側係止部３２ｃとを有している。下側溝部３２ａは、下枠３２の長手方向、すなわち左右方向に沿って延在するものであり、下枠３２の内側の見込み面における前端部に形成された部位である。
【００３５】
前方下側係止部３２ｂは、下枠３２の長手方向に沿って延在するものであり、下側溝部３２ａの底部を構成する部分の前端縁部より下方に向けて延在し、かつその途中で後方に向けて延在する部位である。
【００３６】
後方下側係止部３２ｃは、前方下側係止部３２ｂと同様に、下枠３２の長手方向に沿って延在するものであり、下枠３２の後端部において下方に向けて延在した後に下方に向かうに連れて漸次後方に傾斜するよう延在する部位である。
【００３７】
左右一対の縦枠３３は、それぞれ前方溝部３３ａ及び後方溝部３３ｂを有している。前方溝部３３ａは、縦枠３３の長手方向、すなわち上下方向に沿って延在するものであり、該縦枠３３の内側の見込み面において下側溝部３２ａに対応する箇所に形成された部位である。後方溝部３３ｂは、縦枠３３の内側の見込み面における前方溝部３３ａよりも後方側に離隔した箇所において、前方溝部３３ａと平行に延在するよう形成された部位である。上記前方溝部３３ａは、下側溝部３２ａと連続する位置に設けられており、これら前方溝部３３ａ及び後方溝部３３ｂの前後幅は、下側溝部３２ａの前後幅と略同じかやや大きく設定されている。
【００３８】
固定パネル４０は、例えば透光性の樹脂材から形成された平板矩形状の第１面材４１を有して構成されている。第１面材４１は、枠体３０により形成される第２開口３５の下半分を閉塞するのに十分な大きさを有している。この固定パネル４０は、第１面材４１の下端部が下側溝部３２ａに収納されるとともに、その左右両端部が各縦枠３３の前方溝部３３ａに収納され、更にその上端部が左右一対の縦枠３３間において前方溝部３３ａの中間部分を架け渡すように設けられた固定側中桟４２の中桟溝部４２ａに収納される。この固定パネル４０は、第１面材４１の各端部が各溝部に収納されることで枠体３０の第２開口３５の下半分を閉塞している。
【００３９】
図５は、通風ユニット１の要部を示す斜視図であり、右側半分を示している。以下においては、この図５も適宜用いながら説明する。この図５にも示すように、可動パネル５０は、第２面材５１、上部摺動片５２、下部摺動片５３、左側摺動片５４及び右側摺動片５５を備えて構成されている。
【００４０】
第２面材５１は、例えば透光性の樹脂材から形成された平板矩形状のものである。この第２面材５１は、枠体３０により形成される第２開口３５の上半分を閉塞するのに十分な大きさを有している。つまり、第２面材５１は、第１面材４１と略同じ大きさを有している。
【００４１】
第２面材５１の上端部においては、左右両端部を除く中央部分に上側縁部材５１１が設けられている。上側縁部材５１１は、図には明示しない両面テープ又は接着剤により貼付して設けられている。上側縁部材５１１は、左右方向が長手方向となる長尺状部材であり、上面が上枠３１の下面に当接可能なものである。
【００４２】
また、第２面材５１の下端部においては、左右両端部を除く中央部分に下側縁部材５１２が設けられている。下側縁部材５１２は、図には明示しない両面テープ又は接着剤により貼付して設けられている。この下側縁部材５１２には、第２面材５１の下方域において後方側に凹となる引手部５１２ａが形成されている。この引手部５１２ａは、下側縁部材５１２の左右方向の全長にわたって形成されている。図３中の符号５１２ｂは、下側タイト材である。下側タイト材５１２ｂは、前方に向けて略水平に突出した「モヘア」と称される刷毛状のものである。この下側タイト材５１２ｂは、下側縁部材５１２の前方側の見付け面を構成する部分の上部において下側縁部材５１２の左右方向の全長に亘って設けられている。かかる下側タイト材５１２ｂは、前方側に対向する固定パネル４０と干渉して傷がつくことを防止するために設けられており、本実施の形態ではモヘアにより構成されるものであったが、本発明においては軟質材であれば、樹脂材やゴム等により構成されるものであってもよい。
【００４３】
上部摺動片５２は、第２面材５１に対し、上側縁部材５１１の右側と左側とに設けられている。これら上部摺動片５２は、下方に向けて延在する上部摺動脚部５２１が対応する前方溝部３３ａに進入している。この上部摺動脚部５２１には、図示せぬ付勢手段により後方に向けて付勢される摺動材５２２が設けられていて、該摺動材５２２を含む上部摺動脚部５２１の前後方向の長さは、前方溝部３３ａの前後幅の長さよりも大きく設定されている。これにより、上部摺動脚部５２１が前方溝部３３ａに進入する場合、摺動材５２２は、付勢手段により縦枠３３の見込み方向に沿って付勢されることで前方溝部３３ａの後方側見付け面に押圧されている。
【００４４】
下部摺動片５３は、第２面材５１に対し、下側縁部材５１２の右側と左側とに設けられている。これら下部摺動片５３は、下方に向けて延在する下部摺動脚部５３１が対応する後方溝部３３ｂに進入している。この下部摺動脚部５３１には、図示せぬ付勢手段により前方に向けて付勢される摺動材５３２が設けられていて、該摺動材５３２を含む下部摺動脚部５３１の前後方向の長さは、後方溝部３３ｂの前後幅の長さよりも大きく設定されている。これにより、下部摺動脚部５３１が後方溝部３３ｂに進入する場合、摺動材５３２は、付勢手段により縦枠３３の見込み方向に沿って付勢されることで後方溝部３３ｂの前方側見付け面に押圧されている。
【００４５】
左側摺動片５４は、横断面形状がＬ字状をなしており、第２面材５１の左側端部に両面テープ等の接着材５６により貼付して設けられている。この左側摺動片５４は、前後幅が後方溝部３３ｂの前後幅よりも僅かに小さいものであり、左右方向の見付け幅も小さいため、後方溝部３３ｂから露出しないように設けられている。
【００４６】
右側摺動片５５は、摺動基部５５１と摺動連結部５５２とを備えて構成されている。摺動基部５５１は、横断面形状がＬ字状をなしており、第２面材５１の右側端部に両面テープ等の接着材５６により貼付して設けられている。この摺動基部５５１は、前後幅が後方溝部３３ｂの前後幅よりも僅かに小さいものであり、左右方向の見付け幅も小さいため、後方溝部３３ｂから露出しないように設けられている。
【００４７】
摺動連結部５５２は、摺動基部５５１のうち前後方向に沿って延在する部位より右方に向けて突出する平板状部位である。この摺動基部５５１は、図６に示すように、右側の縦枠３３に上下方向に沿って形成された長尺状のスリット３３ｃを貫通している。この摺動連結部５５２の延在端部（右側端部）には、連係部材６０が連結されている。
【００４８】
連係部材６０は、横断面形状がＬ字状を成しており、上下方向が長手方向となる長尺状部材である。この連係部材６０の上下方向の長さは、第２面材５１の上下方向の長さよりも僅かに大きいものであり、第２面材５１の下端部よりも下方に突出している。また、この連係部材６０は、摺動連結部５５２の一部とともに、右側の縦框２３の内部の中空部２３１に、該縦框２３の内側の見込み面に形成されたスリット２３２を介して進入している。
【００４９】
更に、この連係部材６０は、前後方向に沿って延在する平板状の連係基部６１と、この連係基部６１の前端部より右方に向けて延在する平板状の連係当接部６２とを備えて構成されている。連係基部６１には、図６にも示すように、スリット６１１が形成されており、かかるスリット６１１に摺動連結部５５２の右側端部が進入して図示せぬ接着材に貼付されることで上述したように該摺動連結部５５２と連結されている。尚、ここでは、摺動連結部５５２の右側端部がスリット６１１に進入して接着材に貼付されることで摺動連結部５２と連係部材６０とが連結されることについて説明したが、本発明においては、スリット６１１に摺動連結部５５２の右側端部が圧入されたり、嵌合されたり、あるいは差し込まれたりすることにより摺動連結部５５２と連係部材６０とが連結されても良い。
【００５０】
このような連係部材６０を中空部２３１に進入させる右側の縦框２３には、後方側見付け面に矩形状のストッパ開口２３ａが形成されているとともに、該ストッパ開口２３ａに対応する中空部２３１内の箇所にストッパ７０が設けられている。
【００５１】
ストッパ開口２３ａは、可動パネル５０が上方に移動して上側縁部材５１１の上面が上枠３１の下面に当接する上端位置に位置する場合に、連係部材６０よりも下方側となる箇所に形成されている。
【００５２】
ストッパ７０は、例えば金属材料から構成されるもので、下端部に形成された軸状部７１が取付片７２に支持されている。このストッパ７０は、軸状部７１の中心軸回りに回動可能なものであり、ストッパ開口２３ａを通過することが可能な大きさに調整されている。ここで取付片７２は、ストッパ７０がストッパ開口２３ａを臨む位置に配設されるよう、右側の縦框２３の中空部２３１を形成する壁部材２３４にネジＮ等で固定されている。これにより、ストッパ７０は、軸状部７１の中心軸回りに回動することで、ストッパ開口２３ａを介して縦框２３の外部、すなわち前方側障子２０ａの外部に進退移動可能なものである。
【００５３】
このようなストッパ７０は、閉塞部７０ａ、傾斜部７０ｂ、摺接部７０ｃ、湾曲部７０ｄを有している。閉塞部７０ａは、上端部と下端部とを結ぶ線の後方側に位置しており、ストッパ開口２３ａの開口面積よりも僅かに小さい面積を有する平面状部位である。傾斜部７０ｂは、上端部より下方に向かうに連れて漸次前方に傾斜する態様で形成された平面状部位である。摺接部７０ｃは、傾斜部７０ｂに連続しており、傾斜部７０ｂの延在端部より閉塞部７０ａと略平行となるよう下方に向けて延在する平面状部位である。湾曲部７０ｄは、摺接部７０ｃと下端部との間に位置しており、摺接部７０ｃの延在端部より下端部に向かうに連れて漸次後方に向けて湾曲する部位である。
【００５４】
そして、かかるストッパ７０と取付片７２との間には、ストッパバネ７３が介装されている。このストッパバネ７３は、ストッパ７０を常時前方に付勢する付勢手段である。このストッパバネ７３により、ストッパ７０は、前方側障子２０ａの外部より退行移動した退行姿勢、すなわち縦框２３の中空部２３１に進入した姿勢に付勢されており、かかる姿勢においては、閉塞部７０ａがストッパ開口２３ａを臨んでおり、図７に示すように、ストッパ開口２３ａを略閉塞している。また、このようにストッパ７０が退行姿勢にあって、可動パネル５０が上端位置に位置する場合、図８に示すように、連係部材６０の連係当接部６２の下端部がストッパ７０の傾斜部７０ｂに接している。
【００５５】
以上のような構成を有する建具（吊下障子２０）では、図１に示したように第１開口１５を閉塞する場合において、図９に示すように前方側障子２０ａの可動パネル５０が上端位置から下方に開移動されると、次のようになる。
【００５６】
可動パネル５０の下方への開移動に伴い、該可動パネル５０を構成する右側摺動片５５に連結された連係部材６０も下方へ移動する。これにより、連係部材６０の連係当接部６２の下端部分が傾斜部７０ｂを摺動することで、ストッパ７０は、図１０に示すように、ストッパバネ７３の付勢力に抗して後方に向けて回動して前方側障子２０ａの後方側外部に進出移動する。そして、可動パネル５０が更に下方へ開移動することで、連係部材６０の連係当接部６２の下端部分が傾斜部７０ｂを通過して摺接部７０ｃを摺動し、これにより、ストッパ７０は、図１１に示すように前方側障子２０ａの後方側外部に更に進出移動する。更に、可動パネル５０が下方に向けて開移動すると、図１２に示すように連係部材６０の連係当接部６２の下部がストッパ７０の湾曲部７０ｄに接した状態となり、ストッパ７０の前方への回動、すなわち前方側障子２０ａの後方側外部からの退行移動を規制する。この結果、ストッパ７０は、前方側障子２０ａの後方側外部に進出移動した進出姿勢に保持される。
【００５７】
このようにストッパ７０が進出姿勢に保持されると、図１３に示すように、ストッパ７０が後方側障子２０ｂの左方側に位置することで後方側障子２０ｂの開移動が規制されるとともに前方側障子２０ａの開移動も規制され、これにより第１開口１５を閉塞した状態が保持される。
【００５８】
次に、下端位置に位置する可動パネル５０を上方に向けて閉移動させると、連係部材６０の連係当接部６２は、湾曲部７０ｄ、摺接部７０ｃ、傾斜部７０ｂの順に摺動し、これに応じてストッパ７０がストッパバネ７３により前方に向けて回動して前方側障子２０ａの後方側外部から退行移動する。そして、閉移動する可動パネル５０が上端位置に位置すると、ストッパ７０は、上述した退行姿勢となって、閉塞部７０ａがストッパ開口２３ａを略閉塞する。
【００５９】
以上説明したような本実施の形態である建具によれば、第１開口１５を閉塞する状態で可動パネル５０が開移動して第２開口３５を開放する場合に、ストッパ７０が第１開口１５を閉塞した状態に保持するので、開放された第２開口３５に体の一部を通過させていても、第２開口３５の縁部と後方側障子２０ｂとの間に体の一部が挟まれてしまうことを防止することができ、安全性の向上を図ることができる。
【００６０】
上記建具によれば、可動パネル５０を開移動させるとストッパ７０が外部に進出移動した姿勢となるが、前方側障子２０ａが後方側障子２０ｂと一部が重なる状態、すなわち第１開口１５が開放された状態では、外部に進出移動しようとするストッパ７０が他方の障子（後方側障子２０ｂ）に干渉して進出移動が規制されるため、結果的に、可動パネル５０の開移動を規制することができる。つまり、第１開口１５が開放された状態では、可動パネル５０の開移動を規制して、不用意に第２開口３５が開放されることを防止することができる。
【００６１】
上記建具によれば、ストッパ７０が退行姿勢となる場合には、閉塞部７０ａがストッパ開口２３ａを略閉塞するので、ストッパ開口２３ａを通じて縦框２３の中空部２３１に塵埃物が進入することを抑制するとともに、該ストッパ開口２３ａを通じて縦框２３の中空部２３１が露出されることを防止して意匠性を向上させることができる。
【００６２】
以上、本発明の好適な実施の形態について説明したが、本発明はこれに限定されるものではなく種々の変更行うことができる。
【００６３】
上述した実施の形態では、ストッパ７０が軸状部７１の中心軸回りに回動するものであったが、本発明においては、ストッパが回動せずに直線運動するものであっても良い。また、本発明においては、第２開口が開放される場合に、第１開口が閉塞された状態を保持することができれば、ストッパの配設箇所及び構成は特に限定されるものではない。
【００６４】
上述した実施の形態では、ストッパ７０が可動パネル５０の下方域に配設されていたが、本発明においては、ストッパは開閉体の上方域に配設されていても良い。
【符号の説明】
【００６５】
１  通風ユニット、１０  枠状体、１１  上レール、１２  規制部品、１３，１４  袖壁、１５  第１開口、２０  吊下障子、２０ａ  前方側障子、２０ｂ  後方側障子、２１  上框、２２  下框、２３  縦框、２３ａ  ストッパ開口、２４  中桟、２５  樹脂パネル、３０  枠体、３１  上枠、３２  下枠、３３  縦枠、３５  第２開口、４０  固定パネル、５０  可動パネル（開閉体）、５１  第２面材、５２  上部摺動片、５３  下部摺動片、５４  左側摺動片、５５  右側摺動片、５５１  摺動基部、５５２  摺動連結部、６０  連係部材、６１  連係基部、６２  連係当接部、７０  ストッパ、７２  取付片、７３  ストッパバネ
【図１】
0006374726.tif 000002
【図２】
0006374726.tif 000003
【図３】
0006374726.tif 000004
【図４】
0006374726.tif 000005
【図５】
0006374726.tif 000006
【図６】
0006374726.tif 000007
【図７】
0006374726.tif 000008
【図８】
0006374726.tif 000009
【図９】
0006374726.tif 000010
【図１０】
0006374726.tif 000011
【図１１】
0006374726.tif 000012
【図１２】
0006374726.tif 000013
【図１３】
0006374726.tif 000014